(57)【要約】      （修正有）【課題】角度・分数・図形・公式・定理などを学ぶことができる分割用板・紙を提供する。【解決手段】ケーキの下に敷く物では、円形（丸型）の中心部から円周にかけて、各角度に分けた線を記入。その線と円周の交点に、細長い繊維の加工品または糸や糸状の物を付ける。各角度に分け、中心から円周にかけて線を引く。円形の表面部分に、角度や何分のいくつ分なのか、などを明記。別付けの紙などに、いくつかに分けられた扇形の面積・体積・円周の求め方・公式などを明記。サンドイッチの下に敷く物では、四角形の物の表面に、各線を明記。また、サンドイッチ用パンの絵図をいくつか記載し、２個、４個の三角形に分けたそれぞれの図など、２個、４個の四角形に分けたそれぞれの図などを記載。四角形では、それぞれの面積の求め方の公式を記載。三角形ではそれぞれの面積の求め方の公式、ピタゴラスの定理などを記載。また、角度や何分のいくつ分なのか明記。【選択図】図１
2011170303.tif 000002
【特許請求の範囲】
【請求項１】
本発明は、円形・四角形などの各種形のシート状、板状、のものに繊維を束ねて細長く加工した加工品などや、糸または糸状のものなどを付けたもので（付けない場合あり）、図形・角度・分数・公式・定理などを使い、均等・または均等でない、それぞれの数にわけた線や分数などを明記してあり、これを食べ物（ケーキ、サンドイッチなど）や粘土などの下に敷き、均等・もしくは均等でなく、それぞれの形に分けることができるもので、角度・分数・図形・公式・定理などを学ぶことができるものに関する。
【発明の詳細な説明】
【技術分野】
【０００１】本発明は、食べ物の形状を使い、図形・角度・公式・定理・などについて学び、繊維を束ねて細長く加工した加工品などや、糸または糸状の物などで、食べ物や粘土などをそれぞれの形に分けることが可能な物に関する。
【背景技術】
【０００２】（一般家庭では）ケーキ、サンドイッチなどを目分量で分けていたので大きさが違った。
同じ大きさのパンやピザの皮、餃子の皮などをつくる場合は均等に分けるが、かなりの大きさの違いが見られる場合があった。
【発明の開示】
【発明が解決しようとする課題】
【０００３】円形（丸型）・三角形・四角形などの物を、図形・角度・公式・定理など学びながら、均等・または均等でない、それぞれの大きさに分けることが可能とするには。
【課題を解決するための手段】
【０００４】食べ物や粘土などをいくつかに分けるには、図形・角度・公式・定理などを知ることで可能となるので、食品の下に敷く、シート状・板状の物に、繊維を束ねて細長く加工した加工品などや、糸または糸状の物などを付けた物を作る。そしてこれによってどのように分けると決めた大きさになるかわかる図形・角度・定理・公式を明記（または添付）。
繊維を束ねて細長く加工した加工品などや糸または糸状の物などの物は、あらゆる角度に分けたそれぞれの線の端と円周の交点の半数に付け、その細長い加工品や糸または糸状の物などを対角線上の点線に合わせ、食べ物や粘土などを分割する。または、中心から円周にかけてひいた線の交点の全部に、細長い加工品や糸または糸状の物などの物を付け、対角線上の二本を交差するか、二本を結んで、食べ物を分割する。
【発明の効果】
【０００５】図形・角度・定理・公式などを学ぶことができ、繊維を束ねて細長く加工した加工品などや糸または糸状の物などを使って、食べ物をそれぞれの大きさに分けることができる。
【発明を実施するための最良の形態】
【０００６】ケーキの下に敷く物では、紙・シリコーン・プラスティックなど、適宜素材の円形（丸型）の中心部から円周にかけて、各角度に分けた線を設け、その線と円周の交点に、繊維を束ねて細長く加工した加工品などや糸または糸状の物などを付ける。これらは中心から引いた線と円周の交点と同数、またはその半数。円形部分と糸状などの物部分の接続方法は、接着剤での接着・圧着・同一成形など。
各角度に分け中心から円周に引いた線と円周の交点と、そのとなり合う交点を結び、花びらの形にする。
円形（丸型）部分に、角度や何分のいくつ分なのか、などを明記。
別付けの紙などに、いくつかに分けられた扇形の面積・体積・円周の求め方・公式などを明記する。線は角度ごとに色分けするとか、花びら部分に色を付けることで更にわかりやすくなる。
サンドイッチの下に敷く物では、適宜素材の四角形の物の表面に、線を明記する。線は１ミリメートルごとの細線と、５ミリメートルごとの中太線、１センチメートルごとの太線、５センチメートル、１０センチメートル、２０センチメートルごとの更に太い線を明記。
また、サンドイッチ用パンの絵図をいくつか記載し、２個の四角形と４個の四角形に分けたそれぞれの図、２個の三角形と４個の三角形に分けたそれぞれの図を書く。四角形では、それぞれの面積の求め方の公式を記載。三角形ではそれぞれの面積の求め方の公式、ピタゴラスの定理などを記載する。また、角度や何分のいくつ分なのか明記する。その他に、サンドイッチのレシピなどを書く。
【実施例】
【０００７】円形のケーキの場合を例とすると、大きさはおよそ下記の大きさが多い。
３号（直径９センチメートル）
４号（直径１２センチメートル）
５号（直径１５センチメートル）
６号（直径１８センチメートル）
７号（直径２１センチメートル）
８号（直径２４センチメートル）
９号（直径２７センチメートル）    など
その為、通常作られるケーキの大きさであると考えられる３号〜９号の各号の大きさの物をそれぞれ作る。または大中小の・種類を作る。
上記条件より、下記の使用例が考えられる。
ケーキ７号（直径２１センチメートル）で考える。
直径２１センチメートル（図１は３分の１に縮小図）の円の中心から円周にかけて１本の線を引く（図１ａ）。その線をもとに（あらゆる）角度に分け、円の中心から円周にかけて線をひく。（図１ｂ）
図１の場合は３０度ずつに分けたので、１２個の扇形が出来た。１２分の１。
異なる色で、次のように明記したら、異なる大きさに分けることができる。６０度６分の１、９０度４分の１。１２０度３分の１など。
それぞれの線の交点に、繊維を束ねて細長く加工した加工品などや糸または糸状の物などを付ける。となりあう交点を線で結び、花びらの形にする。
これにケーキをのせ、細長い加工品または糸・糸状の物で分割する。
その細長い加工品・糸または糸状の物を対角線上の線に合わせ、これにより食べ物を分割する。または、対角線上の二本を交差、または結んで、これにより食べ物を分割する。
サンドイッチでは、サンドイッチ用パンの大きさがおよそ８．５センチメートル×９．５センチメートルの物が多いのでその大きさの図と、異なる大きさの図を書く。
図形・角度・定理・公式などを記載する。サンドイッチのレシピなどを書く。
【産業上の利用可能性】
【０００８】クリスマスや誕生日用の一般に販売のケーキで使用が可能と考えられる。またサンドイッチやサンドイッチ用パンに添付しても良い。
【図面の簡単な説明】
【０００９】
【図１】本発明の最良の形態である、角度と図形が学べる分割用板・紙の丸型の一例を示した平面図である。
【００１０】
【図２】本発明の最良の形態である、角度と図形が学べる分割用板・紙の角型の一例を示した平面図である。
【符号の説明】
【００１０】▲１▼  本体基礎図
▲２▼  角度と図形が学べる分割用板・紙の丸型の一例
▲３▼  繊維を束ねて細長く加工した加工品など・糸または糸状の物
▲４▼  角度と図形が学べる分割用板・紙の角型の一例
▲５▼  本体に明記、または別付けで添付する部分
【図１】
2011170303.tif 000003
【図２】
2011170303.tif 000004